(57)【要約】【課題】閉鎖方向に回動する開閉部材を上方に案内する部分が、ピアノ線やセルロイド板等の器具の侵入防止機能を兼ねた遊技機を提供する。【解決手段】パチンコ機１は、中枠４と、その中枠４の一側を回動支点として中枠４の前面側を開閉可能に取り付けられた前面枠６とを備える。前面枠６を閉めた状態で、前面枠６の下面と中枠４の下枠は上下に対向する。中枠４の下枠の、前面枠６と上下に対向する部分には、左右方向に延びる複数の山形リブ２８が前後方向に並んで設けられている。前面枠６の下面の、中枠４と上下に対向する部分には、前面枠６を閉めた状態で山形リブ２８と係合するリブ係合溝３２が前後方向に複数並んで設けられている。【選択図】図４
2011224317.tif 000002
【特許請求の範囲】
【請求項１】
枠状部材と、
その枠状部材の一側を回動支点として枠状部材の前面側を開閉可能に取り付けられた開閉部材とを備え、
その開閉部材を閉めた状態で開閉部材の下面と前記枠状部材とが上下に対向する対向部を備えている遊技機において、
上下に対向する前記対向部の一方には、左右方向に延びる複数の山形リブが前後方向に並んで設けられ、
他方には、開閉部材を閉めた状態で前記山形リブと係合するリブ係合溝が前後方向に複数並んで設けられていることを特徴とする遊技機。
【発明の詳細な説明】
【技術分野】
【０００１】
本発明は、枠状部材の一側を回動支点として開閉部材が開閉可能に取り付けられた遊技機に関する。
【背景技術】
【０００２】
一般に、パチンコ機は、パチンコホールに設置するときの設置台になる矩形状の外枠と、その外枠の一側を回動支点として外枠の前面側を開閉可能に取り付けられた矩形状の中枠と、その中枠の一側を回動支点として中枠の前面側を開閉可能に取り付けられた前面枠とを備えている。中枠には、遊技球が転動する遊技盤や大当たり抽選を演出表示する表示装置などが装着され、前面枠には、遊技盤を視認可能に覆うガラス板が装着される。
【０００３】
そして、遊技盤内で球詰まりなどのトラブルが発生した場合、パチンコホールの従業員はそのトラブルを取り除くために前面枠を開放する。このとき、前面枠は、ガラス板やその他の付属品の重みで先端側が回動支点側よりも下がった状態となりやすく、特に、長期にわたって開閉動作を繰り返すと、回動支点の遊びが次第に大きくなるので、前面枠の垂れ下がりが大きくなる。この場合、前面枠を閉めるときに前面枠の下端が中枠の縁に干渉するのを防止するため、前面枠を持ち上げ気味にする必要が生じる。
【０００４】
また中枠も、遊技盤や表示装置や各種制御基板などの重みで相当の重量があるので、遊技盤の交換や点検をしようと中枠を開放したときに、中枠の先端側が回動支点側よりも下がった状態となる傾向がある。そのため、中枠を閉めるときに中枠の下端が外枠の縁に干渉するのを防止するため、中枠を持ち上げ気味にする必要があった。
【０００５】
そこで、中枠の開閉を円滑にするため、特許文献１に記載されたパチンコ機が提案されている。このパチンコ機においては、外枠の下枠上面の、中枠の下面と対向する部分に、前側から後側に向かって次第に高くなる方向に傾斜した案内面が設けられており、この案内面で閉鎖方向に回動する中枠を上方に案内するようになっている。そのため、中枠を閉めるときに中枠を持ち上げ気味にしなくても、中枠の下端が外枠の縁に干渉するのを防止することができる。
【０００６】
また、このパチンコ機においては、外枠の下枠に、中枠の背面側に対向する折り返し部が設けられている。この折り返し部は、外枠と中枠の合わせ目に向けて開口する断面コ字状に形成されており、外枠と中枠の合わせ目からピアノ線やセルロイド板等の器具を差し込む不正行為（いわゆるピアノ線ゴトやセルゴト）が行なわれたときに、その器具の先端を受け止めて、器具がパチンコ機の内部に侵入するのを阻止する。
【先行技術文献】
【特許文献】
【０００７】
【特許文献１】特開２００５−１３１３３２号公報
【発明の概要】
【発明が解決しようとする課題】
【０００８】
ところで、上記外枠の下枠には、中枠の背面側に対向する折り返し部が設けられているが、外枠の下枠上面の、中枠の下面と対向する部分には、前側から後側に向かって高くなる方向に傾斜した案内面が設けられているのみであり、ピアノ線やセルロイド板等の器具の侵入を防止する構造となっていない。本発明者は、この案内面の部分についても、ピアノ線やセルロイド板等の器具の侵入を防止する構造を導入することができれば、ピアノ線ゴトやセルゴト等をより効果的に防止することが可能となる点に着目した。パチンコ以外の遊技機（スロットマシン等）でも同様のことが言える。
【０００９】
本発明の目的は、開閉部材の下面と枠状部材とが上下に対向する対向部に、ピアノ線やセルロイド板等の器具の侵入防止機能を備えた遊技機を提供することである。
【課題を解決するための手段】
【００１０】
上記目的を達成するために本発明では、枠状部材と、その枠状部材の一側を回動支点として枠状部材の前面側を開閉可能に取り付けられた開閉部材とを備え、その開閉部材を閉めた状態で開閉部材の下面と前記枠状部材とが上下に対向する対向部を備えている遊技機において、上下に対向する対向部の一方には、左右方向に延びる複数の山形リブが前後方向に並んで設けられ、他方には、開閉部材を閉めた状態で前記山形リブと係合するリブ係合溝が前後方向に複数並んで設けられている。
【００１１】
このように、本発明においては、上下に対向する対向部のうちの一方に山形リブが設けられ、他方にリブ係合溝が設けられているので、このリブ係合溝と山形リブの係合によって、ピアノ線やセルロイド板等の器具の侵入を防止することができる。また、開閉部材を開閉操作する際に、山形リブの傾斜に沿って両部材が相対移動するので、山形リブとリブ係合溝の係合および係合解除が円滑に行なわれる。
【００１２】
本発明は、パチンコホールに設置するときの設置台になる外枠と、その外枠の一側を回動支点として外枠の前面側を開閉可能に取り付けられた中枠の開閉構造に適用することができることはもちろん、外枠に対して開閉可能に取り付けられた中枠と、その中枠の一側を回動支点として中枠の前面側を開閉可能に取り付けられた前面枠の開閉構造にも適用することができる。
【発明の効果】
【００１３】
本発明の遊技機は、開閉部材の下面と枠状部材の下枠の上下に対向する部分の一方に設けられた山形リブが、他方に設けられたリブ係合溝と係合してピアノ線やセルロイド板等の器具の侵入を防止するので、ピアノ線ゴトやセルゴト等を効果的に防止することが可能である。
【図面の簡単な説明】
【００１４】
【図１】本発明の実施形態のパチンコ機の正面図
【図２】遊技盤の正面図
【図３】図１に示すパチンコ機の斜視図
【図４】図３の前面枠を開放した状態を示す斜視図
【図５】図４に示すパチンコ機を下方から見た底面図
【図６】前面枠を閉鎖方向に回動させるときの前面枠と中枠の関係を示す平面図
【図７】山形リブとリブ係合溝が係合した状態を示す拡大断面図
【図８】（ａ）は前面枠の下端が山形リブに接触を開始した状態を示す拡大断面図、（ｂ）は前面枠の下端が山形リブの傾斜に沿って上方に案内された状態を示す拡大断面図
【図９】図７の変形例を示す拡大断面図
【図１０】図７の他の変形例を示す拡大断面図
【図１１】図１０のXI−XI線に沿った拡大断面図
【発明を実施するための形態】
【００１５】
以下、本発明を具体化した実施形態のパチンコ機１について、図１〜１１にしたがって詳細に説明する。
【００１６】
図１に示すように、パチンコ機１は、パチンコホールに設置するときの設置台になる外枠２と、外枠２の一側部の上下に固定されたヒンジ片３で回動可能に支持される中枠４と、中枠４の一側部の上下に固定されたヒンジ片５で回動可能に支持される前面枠６とを備えている。
【００１７】
外枠２は、木製の板材を枠組みして前後に開口する矩形状に形成され、その外枠２の前面側を矩形状の中枠４が開閉するようになっている。中枠４には、図２に示すように、遊技球が転動可能な遊技領域７を有する遊技盤８と、遊技領域７に設けられた入賞装置９に遊技球が入ったときに大当たり抽選を演出表示する表示装置１０と、図示しない各種制御基板が装着されている。
【００１８】
図３及び図４に示すように、前面枠６は中枠４の前面側を開閉する。前面枠６には、中枠４の前面側を閉鎖した状態で遊技盤８を視認可能とするガラス板１１が装着されている。
【００１９】
図３に示すように、前面枠６の下部には、払出口１２を通って払い出された遊技球を貯留して遊技球発射装置１３（図４参照）へと誘導する上皿１４が一体に設けられている。一方、中枠４の下枠には、上皿１４から溢れた遊技球を貯留する下皿１５と、下皿１５の取り付け基板１６とからなる下皿ユニット１７が組み付けられている。上皿１４が払出口１２から払い出された遊技球で一杯になったとき、上皿１４から溢れた遊技球は、中枠４に設けられた溢れ玉通路１８（図４参照）を通って下皿１５に払い出される。
【００２０】
図４に示すように、下皿１５の右側には発射ハンドル１９が取り付けられており、この発射ハンドル１９に設けられた発射レバー２０を回動操作することにより、上皿１４に貯留された遊技球が遊技球発射装置１３から遊技盤８に発射されるようになっている。
【００２１】
前面枠６を閉めたときに、中枠４の下枠の、前面枠６の下面と上下に対向する対向部には、中枠４の前面開口の下縁に沿って左右に細長く延びる枠嵌合部２１と、枠嵌合部２１に対して前面枠６の回動支点に近い側（図では左側）に配置された第１案内部材２２と、枠嵌合部２１に対して前面枠６の回動支点から遠い側（図では右側）に配置された第２案内部材２３とが設けられている。
【００２２】
枠嵌合部２１は、前面枠６を閉めた状態で前面枠６の下面と上下に重なって枠の合わせ目となる部分である。枠嵌合部２１の後端には折り返し部２４が設けられている。この折り返し部２４は、前面枠６と中枠４の合わせ目からピアノ線やセルロイド板等の器具を差し込まれたときに、その器具がパチンコ機１の内部に侵入するのを阻止する。
【００２３】
第１案内部材２２の上面には、前側から後側に向かって次第に高くなる方向に傾斜した傾斜面２５が形成されている。前面枠６が閉鎖方向に回動するとき、傾斜面２５はその傾斜によって前面枠６を上方に案内する。
【００２４】
図５に示すように、前面枠６の下面の、中枠４と上下に対向する対向部には、第１案内部材２２に対応して第１被案内部２６が設けられている。第１被案内部２６は、前面枠６が閉鎖方向に回動するときに、第１案内部材２２の傾斜面２５に接触して案内される部分である。第１被案内部２６には、傾斜面２５との摺動抵抗を小さく抑えるために、前後方向に延びる複数の突起２７が形成されている。
【００２５】
図６に示すように、第２案内部材２３の上面には、左右方向に延びる複数の山形リブ２８が前後方向に並んで設けられている。図７に示すように、各山形リブ２８は左右方向に延びる稜線を頂部とする断面山形形状であり、その頂部を境にして前側案内面２９と後側案内面３０とが形成されている。ここで、前側案内面２９は、前側から後側に向かって高くなる方向に傾斜しており、後側案内面３０は、前側から後側に向かって低くなる方向に傾斜している。
【００２６】
図４に示すように、第２案内部材２３は、枠嵌合部２１の前縁よりも前方に位置するよう下皿１５の側壁上端に設けられており、前面枠６を閉める際に、前面枠６の下面が中枠４の枠嵌合部２１と上下に重なるよりも早いタイミングで、前面枠６が第２案内部材２３と上下に重なり始めるようになっている。
【００２７】
図５に示すように、前面枠６の下面の、中枠４と上下に対向する対向部には、第２案内部材２３に対応して第２被案内部３１が設けられている。第２被案内部３１は、前面枠６を閉めたときに第２案内部材２３の上側に対向する部分であり、第２被案内部３１の下面には、前面枠６を閉めた状態で左右方向に延びる複数のリブ係合溝３２が前後方向に並んで設けられている。
【００２８】
図７に示すように、リブ係合溝３２は、前後に対向する内側面をもつ断面方形の角溝形状である。各リブ係合溝３２は、各山形リブ２８と上下に合致する位置に形成されており、前面枠６を閉めたときに、各山形リブ２８と各リブ係合溝３２が係合して各山形リブ２８の頂部がリブ係合溝３２内に入り込むようになっている。第２案内部材２３の後端には、前面枠６の背面側に対向する折り返し部３３が設けられており、前面枠６には、前面枠６を閉じた状態で折り返し部３３に収容される突起３４が設けられている。
【００２９】
以上の構成からなるパチンコ機１において、遊技盤８内で球詰まりなどのトラブルが発生した場合、パチンコホールの従業員はそのトラブルを取り除くため、図４に示すように前面枠６を開放する。このとき、前面枠６は、ガラス板１１やその他の付属品の重みで先端側が回動支点側よりも下がった状態となりやすく、特に、長期にわたって開閉動作を繰り返すと、回動支点の遊びが次第に大きくなるので、前面枠６の垂れ下がりが大きくなる。
【００３０】
そのため、前面枠６を閉めるときに、前面枠６の下端が中枠４の縁（例えば、下皿１５の側壁上端の縁）に干渉するおそれが生じるが、本実施形態のパチンコ機１においては、前面枠６を閉鎖方向に回動させると、図６及び図８（ａ）に示すように、第２被案内部３１の後端が、第２案内部材２３の前後方向に並んだ複数の山形リブ２８のうちの最も前側に位置する山形リブ２８の前側案内面２９に接触し、その後、図８（ｂ）に示すように、前側案内面２９の傾斜に沿って第２被案内部３１が上方に案内されるので、前面枠６を持ち上げ気味にしなくても、前面枠６の下端が中枠４の縁に干渉しない。
【００３１】
そして、前面枠６を完全に閉めると、図７に示すように、各山形リブ２８が各リブ係合溝３２に係合した状態となる。この状態において、前方から第２被案内部３１と第２案内部材２３の合わせ目にピアノ線やセルロイド板等の器具が差し込まれても、山形リブ２８とリブ係合溝３２の係合によってパチンコ機１内部への器具の侵入が防止される。特に、図に示すように、リブ係合溝３２を角溝形状とすると、器具の先端が山形リブ２８の前側案内面２９に沿ってリブ係合溝３２の隅部に案内され、それ以上は奥に進めなくなるので、ピアノ線やセルロイド板等の器具の侵入防止効果が高い。
【００３２】
そして、万一ピアノ線やセルロイド板等の器具が、最も後側の山形リブ２８とリブ係合溝３２の係合部分を通り抜けた場合でも、第２案内部材２３の折り返し部３３と前面枠６の突起３４によって器具の侵入が阻止される。
【００３３】
前面枠６を閉鎖した状態から開放方向に回動させるときは、各リブ係合溝３２の後側の縁が、山形リブ２８の後側案内面３０に接触し、その後側案内面３０の傾斜に沿って前面枠６が上方に案内され、山形リブ２８とリブ係合溝３２の係合が解除される。
【００３４】
本実施形態のパチンコ機１は、中枠４の第２案内部材２３に設けられた山形リブ２８の前側案内面２９が、閉鎖方向に回動する前面枠６を上方に案内するとともに、その山形リブ２８が、前面枠６の第２被案内部３１に設けられたリブ係合溝３２と係合してピアノ線やセルロイド板等の器具の侵入を防止する。すなわち、山形リブ２８が、閉鎖方向に回動する前面枠６を上方に案内する機能と、ピアノ線やセルロイド板等の器具の侵入を防止する機能とを兼ねている。したがって、折り返し部３３だけでピアノ線やセルロイド板等の器具の侵入を防止するようにした場合よりも、より効果的にピアノ線ゴトやセルゴト等を防止することが可能である。
【００３５】
また、前面枠６を開閉操作する際に、山形リブ２８の前側案内面２９と後側案内面３０の傾斜に沿って前面枠６が移動するので、山形リブ２８とリブ係合溝３２の係合および係合解除が円滑に行なわれる。
【００３６】
図９に示すように、隣り合うリブ係合溝３２とリブ係合溝３２の間に更に溝３５を設けてもよい。このようにすると、万一ピアノ線やセルロイド板等の器具が山形リブ２８とリブ係合溝３２の係合部分を通り抜けた場合でも、その器具が溝３５の縁に引っ掛かって侵入しにくくなる。
【００３７】
図１０及び図１１に示すように、隣り合うリブ係合溝３２とリブ係合溝３２の間に前後方向に延びる複数の突起３６を左右方向に間隔をおいて形成してもよい。このようにすると、第２被案内部３１と山形リブ２８の間の接触面積を低減してその摺動抵抗を小さく抑えることができる。
【００３８】
本実施形態では、中枠４の下枠に山形リブ２８を設け、前面枠６の下面にリブ係合溝３２を設けたが、この山形リブ２８とリブ係合溝３２の対応関係を逆にして、中枠４の下枠にリブ係合溝３２を設け、前面枠６の下面に山形リブ２８を設けてもよい。すなわち、前面枠６の下面の、中枠４と上下に対向する部分に山形リブ２８を設け、中枠４の下枠の、前面枠６の下面と上下に対向する部分にリブ係合溝３２を設けてもよい。この場合も、前面枠６を開閉操作する際に、山形リブ２８の前側案内面２９と後側案内面３０の傾斜に沿って前面枠６が移動するので、山形リブ２８とリブ係合溝３２の係合および係合解除が円滑に行なわれる。そして、前面枠６を閉めた状態においては、山形リブ２８とリブ係合溝３２の係合によってピアノ線やセルロイド板等の器具の侵入を防止することができる。
【００３９】
また、本実施形態では、中枠４の一側を回動支点として中枠４の前面側を開閉可能に取り付けられた前面枠６の開閉構造に本発明を適用したが、本発明は、外枠２の一側を回動支点として外枠２の前面側を開閉可能に取り付けられた中枠４の開閉構造にも適用することができる。
【００４０】
また、本実施形態では、枠状部材の前面側を開閉可能に取り付けられた開閉部材として、ガラス枠と上皿とが一体となった前面枠６を例に挙げて説明したが、本発明は、ガラス枠と上皿とが別々に開閉可能とされたパチンコ機のガラス枠の開閉構造および上皿の開閉構造にも適用することができる。本発明は、遊技機における枠状部材の前面側を開閉可能に取り付けられた開閉部材であれば適用可能である。ここで、枠状部材とは、少なくとも前面側が開口した構造のものをいい、後面側が閉塞した箱形構造のもの（例えばスロットマシンの筐体）も含む。
【符号の説明】
【００４１】
１・・・パチンコ機、４・・・中枠、６・・・前面枠、２８・・・山形リブ、２９・・・前側案内面、３０・・・後側案内面、３２・・・リブ係合溝
【図１】
2011224317.tif 000003
【図２】
2011224317.tif 000004
【図３】
2011224317.tif 000005
【図４】
2011224317.tif 000006
【図５】
2011224317.tif 000007
【図６】
2011224317.tif 000008
【図７】
2011224317.tif 000009
【図８】
2011224317.tif 000010
【図９】
2011224317.tif 000011
【図１０】
2011224317.tif 000012
【図１１】
2011224317.tif 000013